(57)【要約】【課題】ユーザーが、オブジェクト指向のＵＩによってコンテンツを利用できるようにする。【解決手段】端末１に、機器２１〜２５，３５に蓄積されたコンテンツのコンテンツリストをこれらの機器から取得する手段と、そのコンテンツリストを表示する手段と、そのコンテンツリストから、ユーザーが利用するコンテンツを選択する手段と、選択されたコンテンツの属性に基づき、コンテンツを利用するためのＵＩを表示する手段と、このＵＩにより、コンテンツの利用に関する入力を受ける手段と、この入力に基づき、選択されたコンテンツを、コンテンツを利用する機器へ転送するように、コンテンツを蓄積した機器におけるコンテンツの転送を制御する手段と、この入力に基づき、コンテンツを蓄積した機器から転送されたコンテンツを利用する機器の制御を行なう手段とを備える。【選択図】            図３
2005031804.tif 000002
【特許請求の範囲】
【請求項１】
機器に蓄積されたコンテンツの利用を管理するコンテンツマネージメント装置において、
前記機器に蓄積された前記コンテンツのコンテンツリストを、前記機器から取得する取得手段と、
前記取得手段により取得された前記コンテンツリストを、表示装置に表示する第１の表示制御手段と、
前記第１の表示制御手段により表示された前記コンテンツリストから、ユーザーが利用する前記コンテンツを選択するコンテンツ選択手段と、
前記コンテンツ選択手段により選択された前記コンテンツの属性に基づき、前記コンテンツを利用するためのユーザーインターフェースを表示装置に表示する第２の表示制御手段と、
前記第２の表示制御手段により表示された前記ユーザーインターフェースにより、前記コンテンツの利用に関する入力を受ける入力手段と、
前記入力手段の入力に基づき、前記コンテンツ選択手段により選択された前記コンテンツを、前記コンテンツを利用する利用機器へ転送するように、前記コンテンツを蓄積した前記機器における、前記コンテンツの転送を制御する第１の機器制御手段と、
前記入力手段の入力に基づき、前記機器から転送された前記コンテンツを利用する前記利用機器の制御を行なう第２の機器制御手段と、
を備えることを特徴とするコンテンツマネージメント装置。
【請求項２】
請求項１に記載のコンテンツマネージメント装置において、
前記第２の表示制御手段は、前記コンテンツが蓄積された前記機器および前記コンテンツを利用する前記利用機器によらず、前記コンテンツ選択手段により選択された前記コンテンツに基づき、統一された前記ユーザーインターフェースを表示することを特徴とするコンテンツマネージメント装置。
【請求項３】
請求項１に記載のコンテンツマネージメント装置において、
前記第１の制御手段は、前記コンテンツが蓄積された前記機器における前記コンテンツの再生の制御を行い、
前記第２の制御手段は、前記機器から転送された前記コンテンツの、前記利用機器における出力及び／または表示の制御を行なうことを特徴とするコンテンツマネージメント装置。
【請求項４】
請求項１に記載のコンテンツマネージメント装置において、
前記コンテンツ選択手段により選択された前記コンテンツを、前記コンテンツが蓄積された前記機器から入力可能な前記利用機器を、前記表示装置に表示する第３の表示制御手段と、
前記第３の表示制御手段により表示された前記利用機器から、ユーザーが利用する前記利用機器を選択する利用機器選択手段と
をさらに備え、
前記第１の機器制御手段は、前記コンテンツの転送を、前記利用機器選択手段により選択された前記利用機器に対して行なうよう制御し、
前記第２の機器制御手段は、前記利用機器選択手段により選択された前記利用機器の制御を行なうことを特徴とするコンテンツマネージメント装置。
【請求項５】
請求項１に記載のコンテンツマネージメント装置において、
前記取得手段は、無線通信手段により前記コンテンツの前記コンテンツリストを取得し、
前記第１の機器制御手段は、無線通信手段または赤外線通信手段により、前記コンテンツ選択手段により選択された前記コンテンツを蓄積する機器を制御し、
前記第２の機器制御手段は、無線通信手段または赤外線通信手段により、前記コンテンツを利用する前記利用機器の制御を行なうことを特徴とするコンテンツマネージメント装置。
【請求項６】
請求項１に記載のコンテンツマネージメント装置において、
前記第１の取得手段は、ネットワークを介して、コンテンツ提供装置から前記コンテンツリストを取得し、
前記第１の制御手段は、前記コンテンツ提供装置から前記機器に前記コンテンツ選択手段が選択した前記コンテンツを受信するように制御し、
ＩＣカードを読み取るＩＣカードリーダーと、
ネットワーク上の課金決済装置との間で、前記ＩＣカードリーダーによってＩＣカードから読み取った情報を用いて、前記コンテンツ選択手段により選択された前記コンテンツの課金決済を行う課金決済手段と
をさらに備えることを特徴とするコンテンツマネージメント装置。
【請求項７】
機器に蓄積されたコンテンツの利用を管理する方法において、
前記機器に蓄積された前記コンテンツのコンテンツリストを、前記機器から取得する取得ステップと、
前記取得ステップにより取得された前記コンテンツリストを、表示装置に表示する第１の表示制御ステップと、
前記第１の表示制御ステップにより表示された前記コンテンツリストから、ユーザーが利用する前記コンテンツが選択されたことに応じて、選択された前記コンテンツの属性に基づき、前記コンテンツを利用するためのユーザーインターフェースを表示装置に表示する第２の表示制御ステップと、
前記第２の表示制御ステップにより表示された前記ユーザーインターフェースにより、前記コンテンツの利用に関する入力を受ける入力手段の入力に基づき、前記選択された前記コンテンツを、前記コンテンツを利用する利用機器へ転送するように、前記コンテンツを蓄積した前記機器における、前記コンテンツの転送を制御する第１の機器制御ステップと、
前記入力手段の入力に基づき、前記機器から転送された前記コンテンツを利用する前記利用機器の制御を行なう第２の機器制御ステップと
を有することを特徴とするコンテンツ利用の管理方法。
【請求項８】
コンピュータに、
機器に蓄積されたコンテンツのコンテンツリストを、前記機器から取得する手順と、
取得された前記コンテンツリストを、表示装置に表示する手順と、
前記コンテンツリストから、ユーザーが利用する前記コンテンツが選択されたことに応じて、選択された前記コンテンツの属性に基づき、前記コンテンツを利用するためのユーザーインターフェースを表示装置に表示する手順と、
前記ユーザーインターフェースにより、前記コンテンツの利用に関する入力を受ける入力手段の入力に基づき、前記選択された前記コンテンツを、前記コンテンツを利用する利用機器へ転送するように、前記コンテンツを蓄積した前記機器における、前記コンテンツの転送を制御する手順と、
前記入力手段の入力に基づき、前記機器から転送された前記コンテンツを利用する前記利用機器の制御を行なう手順と
を実行させるためのプログラム。
【発明の詳細な説明】
【０００１】
【発明の属する技術分野】
本発明は、様々なＡＶ（Ａｕｄｉｏ  Ｖｉｓｕａｌ）機器を制御して、或るＡＶ機器に蓄積されているコンテンツを、そのＡＶ機器とは別のＡＶ機器から出力表示させるための端末装置に関する。
【０００２】
【従来の技術】
今日、映像や音楽等のコンテンツを蓄積したり出力表示するＡＶ機器として、ミュージックサーバー（音楽の録音機能及びネットワーク接続機能を有する専用の機器）や、ホームサーバー（テレビジョン番組の録画機能及びネットワーク接続機能を有する専用の機器）や、ＶＴＲや、パーソナルコンピュータや、オーディオシステムや、テレビジョン受信機といった様々な機器が普及している。
【０００３】
そして、家庭内では、例えば、パーソナルコンピュータに蓄積された音楽コンテンツを、オーディオシステムのスピーカから出力させたり、ＶＴＲに蓄積された音楽コンテンツを、テレビジョン受信機のモニターに表示させるとともにそのテレビジョン受信機のスピーカから出力させるというように、或るＡＶ機器に蓄積されたコンテンツを、そのＡＶ機器とは別のＡＶ機器で出力させたり表示させたり（本明細書では、スピーカからの出力とモニターへの表示との少なくとも一方を行うことを、「出力表示」あるいは「出力及び／または再生」と呼ぶことにする）して視聴する機会が多くなっている。
【０００４】
従来、ユーザーは、このように或るＡＶ機器に蓄積されたコンテンツを別のＡＶ機器で視聴する場合、どのＡＶ機器に視聴したいコンテンツが蓄積されているかを意識してそのＡＶ機器を操作するとともに、どのＡＶ機器でそのコンテンツを出力表示させるかを意識してそのＡＶ機器を操作していた。
【０００５】
換言すれば、ユーザーは、「コンテンツを蓄積している機器→コンテンツを出力表示する機器→コンテンツの出力表示」というデバイスベースのユーザーインターフェースで操作を行う必要があった。
【０００６】
他方、本出願人は、複数のＡＶ機器を制御するリモートコントローラとして、ＡＶ機器毎にレイアウトされた操作パネルを画面表示し、１つ操作パネルでの操作に基づいて、その操作パネルに対応しているＡＶ機器を制御するようにしたリモートコントローラを既に提案済みである（例えば、特許文献１参照）。
【０００７】
しかし、ユーザーは、このリモートコントローラを使用する場合にも、或るＡＶ機器に蓄積されたコンテンツを別のＡＶ機器で視聴する際には、やはり、どのＡＶ機器に視聴したいコンテンツが蓄積されているかを意識し、そのＡＶ機器用の操作パネルを選択して画面表示させてその操作パネルでそのＡＶ機器を操作するとともに、どのＡＶ機器でそのコンテンツを出力表示させるかを意識し、そのＡＶ機器用の操作パネルを選択して画面表示させてその操作パネルでそのＡＶ機器を操作することになる。
【０００８】
したがって、やはり、「コンテンツを蓄積している機器→コンテンツを出力表示する機器→コンテンツの出力表示」というデバイスベースデバイスベースのユーザーインターフェースで操作を行う必要があることには変りはなかった。
【０００９】
【特許文献１】
特開２００２−１６９９０公報（段落番号００１２〜００１９、図１〜図３）
【００１０】
【発明が解決しようとする課題】
しかし、このように、どのＡＶ機器に視聴したいコンテンツが蓄積されているかや、どのＡＶ機器でそのコンテンツを出力表示させるかを意識しなければならないことは、今日のように家庭内のＡＶ機器の種類が増えており、多数のコンテンツがそれらのＡＶ機器に分散して蓄積されている状況のもとでは、ユーザーにとってたいへん煩雑である。
【００１１】
また、一般にＡＶ機器はその種類（パーソナルコンピュータであるか、ミュージックサーバーであるか、ホームサーバーであるか、オーディオシステムであるか等）によって操作方法が相違するので、従来のようにＡＶ機器そのものを操作してコンテンツを再生させる場合には、ユーザーは、コンテンツを蓄積しているＡＶ機器やコンテンツを出力表示させるＡＶ機器毎に、異なる操作方法を覚えなければならなくなる。
【００１２】
同様に、前述の本出願人の提案に係るリモートコントローラを使用する場合も、その操作パネルはＡＶ機器毎にレイアウトされているので、ＡＶ機器毎に異なる操作方法を覚えなければならない点には変りはない。
【００１３】
このように、ＡＶ機器毎に異なる操作方法を覚えなければならないことも、今日のように家庭内のＡＶ機器の種類が増えている状況のもとでは、ユーザーにとってたいへん煩雑である。
【００１４】
本発明は、上述の点に鑑み、或るＡＶ機器に蓄積されたコンテンツを別のＡＶ機器で視聴する場合のように、コンテンツを蓄積している機器とそのコンテンツを利用する機器とが相違する場合に、ユーザーが、それらの機器の違いを意識することなくコンテンツを利用できるようにすることや、さらには、機器の種類毎に異なるごとにコンテンツを蓄積している機器やコンテンツを利用する機器の種類毎に異なる操作方法を覚えることなくコンテンツを利用できるようにすることを課題としてなされたものである。
【００１５】
【課題を解決するための手段】
この課題を解決するために、本出願人は、機器に蓄積されたコンテンツの利用を管理するコンテンツマネージメント装置において、この機器に蓄積されたコンテンツのコンテンツリストを、この機器から取得する第１の取得手段と、この取得手段により取得されたコンテンツリストを、表示装置に表示する第１の表示制御手段と、この第１の表示制御手段により表示されたコンテンツリストから、ユーザーが利用するコンテンツを選択するコンテンツ選択手段と、このコンテンツ選択手段により選択されたコンテンツの属性に基づき、コンテンツを利用するためのユーザーインターフェースを表示装置に表示する第２の表示制御手段と、この第２の表示制御手段により表示されたこのユーザーインターフェースにより、コンテンツの利用に関する入力を受ける入力手段と、この入力手段の入力に基づき、このコンテンツ選択手段により選択されたコンテンツを、コンテンツを利用する利用機器へ転送するように、コンテンツを蓄積した機器における、コンテンツの転送を制御する第１の機器制御手段と、この入力手段の入力に基づき、コンテンツを蓄積した機器から転送されたコンテンツを利用する利用機器の制御を行なう第２の機器制御手段とを備えるコンテンツマネージメント装置を提案する。
【００１６】
コンテンツマネージメント装置では、コンテンツを蓄積している機器からコンテンツリストが取得され、そのコンテンツリストが表示装置に表示される。そして、この表示されたコンテンツリストから、ユーザーが利用するコンテンツが選択されると、選択されたコンテンツの属性に基づき、コンテンツを利用するためのユーザーインターフェースが表示装置に表示される。
【００１７】
ユーザーは、このユーザーインターフェースにより、コンテンツの利用に関する入力を行うことができる。そして、ユーザーからコンテンツの利用に関する入力があると、選択されたコンテンツを、コンテンツを利用する利用機器へ転送するように、コンテンツを蓄積した機器におけるコンテンツの転送が制御されるとともに、この利用機器の制御が行われる。
【００１８】
このように、このコンテンツマネージメント装置によれば、ユーザーが、まず利用したいコンテンツを選択すると、そのコンテンツの属性に基づいたユーザーインターフェースが表示され、そして、ユーザーが、そのユーザーインターフェースによってコンテンツの利用に関する入力を行うだけで、コンテンツを蓄積した機器からコンテンツを利用する利用機器にコンテンツが転送されて、その利用機器でコンテンツが利用される。
【００１９】
これにより、コンテンツを蓄積している機器とそのコンテンツを利用する機器とが相違する場合に、ユーザーが、それらの機器の違いを意識することなく、一つのユーザーインターフェースによってコンテンツを利用することができる。
【００２０】
換言すれば、ユーザーは、「コンテンツの選択→コンテンツを利用する機器→コンテンツを蓄積している機器」というオブジェクト指向のユーザーインターフェースでコンテンツを利用することができることになる。
【００２１】
なお、このコンテンツマネージメント装置において、一例として、第２の表示制御手段は、コンテンツが蓄積された機器およびコンテンツを利用する利用機器によらず、コンテンツ選択手段により選択されたコンテンツに基づき、統一されたこのユーザーインターフェースを表示することが好適である。
【００２２】
それにより、ユーザーは、コンテンツを蓄積している機器やコンテンツを利用する機器の種類毎に異なる操作方法を覚えることなく、コンテンツの種類のみに依存する統一されたユーザーインターフェースによってコンテンツを利用できるようになる。
【００２３】
また、このコンテンツマネージメント装置において、一例として、第１の制御手段は、コンテンツが蓄積された機器におけるコンテンツの再生の制御を行い、第２の制御手段は、この機器から転送されたコンテンツの、利用機器における出力及び／または再生の制御を行なうことが好適である。
【００２４】
それにより、或る機器に蓄積されたコンテンツを別の機器で利用する一態様として、或る機器に蓄積されたコンテンツを、その機器から再生させて別の機器に転送し、その別の機器でそのコンテンツを出力表示させて視聴する場合に、ユーザーが、それらの機器の違いを意識することなく、一つのユーザーインターフェースによってそのコンテンツを視聴することができるようになる。
【００２５】
また、このコンテンツマネージメント装置において、一例として、コンテンツ選択手段により選択されたコンテンツを、コンテンツが蓄積された機器から入力可能なこの利用機器を、表示装置に表示する第３の表示制御手段と、この第３の表示制御手段により表示された利用機器から、ユーザーが利用する利用機器を選択する利用機器選択手段とをさらに備え、第１の機器制御手段は、コンテンツの転送を、この利用機器選択手段により選択された利用機器に対して行なうよう制御し、第２の機器制御手段は、この利用機器選択手段により選択された利用機器の制御を行なうことが好適である。
【００２６】
それにより、ユーザーは、利用したいコンテンツを選択した後、そのコンテンツを利用する機器も選択することができるようになる。
【００２７】
また、このコンテンツマネージメント装置において、一例として、取得手段は、無線通信手段によりコンテンツのコンテンツリストを取得し、第１の機器制御手段は、無線通信手段または赤外線通信手段により、コンテンツ選択手段により選択されたコンテンツを蓄積する機器を制御し、第２の機器制御手段は、無線通信手段または赤外線通信手段により、コンテンツを利用する利用機器の制御を行なうことが好適である。
【００２８】
それにより、ユーザーは、このコンテンツマネージメント装置を使用するだけで、例えば無線通信手段でのみ制御可能な機器に蓄積されているコンテンツを、赤外線通信手段でのみ制御可能な機器で利用することができるようになる。
【００２９】
また、このコンテンツマネージメント装置において、一例として、第１の取得手段は、ネットワークを介して、コンテンツ提供装置からコンテンツリストを取得し、第１の制御手段は、コンテンツ提供装置から、コンテンツを蓄積する機器にコンテンツ選択手段が選択したコンテンツを受信するように制御し、ＩＣカードを読み取るＩＣカードリーダーと、ネットワーク上の課金決済装置との間で、このＩＣカードリーダーによってＩＣカードから読み取った情報を用いて、コンテンツ選択手段により選択されたコンテンツの課金決済を行う課金決済手段とをさらに備えることが好適である。
【００３０】
それにより、ユーザーは、このコンテンツマネージメント装置を使用して、コンテンツを蓄積する機器に、ネットワーク上のコンテンツ提供装置から提供されるコンテンツを受信して蓄積させることができるとともに、そのコンテンツが有料である場合に、個人情報等の入力操作を行わなくても、ＩＣカードを用いて課金決済を行うことができるようになる。
【００３１】
次に、本出願人は、機器に蓄積されたコンテンツの利用を管理する方法において、この機器に蓄積されたコンテンツのコンテンツリストを、この機器から取得する取得ステップと、この取得ステップにより取得されたコンテンツリストを、表示装置に表示する第１の表示制御ステップと、この第１の表示制御ステップにより表示されたコンテンツリストから、ユーザーが利用するコンテンツが選択されたことに応じて、選択されたコンテンツの属性に基づき、そのコンテンツを利用するためのユーザーインターフェースを表示装置に表示する第２の表示制御ステップと、この第２の表示制御ステップにより表示されたユーザーインターフェースにより、コンテンツの利用に関する入力を受ける入力手段の入力に基づき、その選択されたコンテンツを、そのコンテンツを利用する利用機器へ転送するように、そのコンテンツを蓄積したこの機器における、そのコンテンツの転送を制御する第１の機器制御ステップと、この入力手段の入力に基づき、この機器から転送されたコンテンツを利用する利用機器の制御を行なう第２の機器制御ステップとを有するコンテンツ利用の管理方法を提案する。
【００３２】
また、本出願人は  コンピュータに、機器に蓄積されたコンテンツのコンテンツリストを、この機器から取得する手順と、取得されたコンテンツリストを、表示装置に表示する手順と、そのコンテンツリストから、ユーザーが利用するコンテンツが選択されたことに応じて、選択されたコンテンツの属性に基づき、そのコンテンツを利用するためのユーザーインターフェースを表示装置に表示する手順と、ユーザーインターフェースにより、コンテンツの利用に関する入力を受ける入力手段の入力に基づき、その選択されたコンテンツを、そのコンテンツを利用する利用機器へ転送するように、そのコンテンツを蓄積したこの機器における、そのコンテンツの転送を制御する手順と、この入力手段の入力に基づき、この機器から転送されたコンテンツを利用するこの利用機器の制御を行なう手順とを実行させるためのプログラムを提案する。
【００３３】
この方法やプログラムを実行する装置によれば、前述の本発明に係るコンテンツマネージメント装置について説明したのと全く同様にして、コンテンツを蓄積している機器とそのコンテンツを利用する機器とが相違する場合に、ユーザーが、それらの機器の違いを意識することなく、一つのユーザーインターフェースによってコンテンツを利用することができる。
【００３４】
【発明の実施の形態】
以下、本発明を、図面を用いて具体的に説明する。図１は、本発明を適用した携帯端末の外観構成例を示す正面図である。このコンテンツマネージメント携帯端末（以下単に‘携帯端末’とも呼ぶ）１の表側の面には、タッチパネル式の表示部２や、モード（後述するコンテンツモード等）選択用等の各種の釦３や、スピーカ４や、マイクロホン５が設けられている。
【００３５】
また、図には表れていないが、携帯端末１の側面には、赤外線通信用の赤外線送信部が設けられており、携帯端末１の裏側の面には、非接触ＩＣカードを挿入して保持するための挿入口も設けられている。非接触ＩＣカードとしては、例えばＦｅｌｉＣａ（フェリカ）（「ＦｅｌｉＣａ」は登録商標）を採用してクレジットカード機能や電子マネー機能を有するものが知られている。
【００３６】
図２は、携帯端末１の回路構成を示すブロック図である。携帯端末１には、制御・処理系として、ＣＰＵ１１，ブートメモリ（ＥＥＰＲＯＭ）１２，キャッシュメモリ（ＳＲＡＭ）１３を搭載したメインボード１４が設けられている。ＣＰＵ１１は、ブートメモリ１２に格納されたプログラムやデータに基づき、後出の各種処理を実行する。
【００３７】
メインボード１４には、図１の表示部２を含んだタッチセンサ付液晶モジュール１５と、図１の各釦３，スピーカ４及びマイクロホン５が接続されている。
【００３８】
また、メインボード１４には、非接触ＩＣカードのカードリーダー／ライター１６と、前述の赤外線送信部を含んだ赤外線通信モジュール１７と、無線ＬＡＮ（ＩＥＥＥ８０２．１１ｂ）のインターフェース１８と、電源としてのバッテリー１９とが接続されている。カードリーダー／ライター１６として用いることのできる非接触ＩＣカードリーダー／ライターとしては、例えばＦｅｌｉＣａを採用したカードリーダー／ライターが知られている。
【００３９】
図３は、この携帯端末１を利用したコンテンツ再生・ダウンロードシステムの全体構成例を示す図である。このシステムは、家庭２０内のＡＶ機器であるパーソナルコンピュータ２１やミュージックサーバー（音楽の録音機能及びネットワーク接続機能を有する専用の機器）２２やホームサーバー（テレビジョン番組の録画機能及びネットワーク接続機能を有する専用の機器）２３やテレビジョン受信機２４やオーディオシステム２５からコンテンツを再生・出力表示させたり、インターネット３１上のサイトからパーソナルコンピュータ２１やミュージックサーバー２２やホームサーバー２３にコンテンツをダウンロードするためのものである。
【００４０】
家庭２０内では、携帯端末１が、無線ＬＡＮアクセスポイント２６，ＩＰルーター２７及びＡＤＳＬモデム２８を介してインターネット３１に接続されるとともに、無線ＬＡＮアクセスポイント２６，ＩＰルーター２７及びイーサネット（登録商標）２９を介してパーソナルコンピュータ２１やミュージックサーバー２２やホームサーバー２３と通信可能になっている。
【００４１】
ＩＰルーター２７は、ＬＡＮ側の複数の機器にそれぞれ固有のＩＰアドレスを割り当てる機能を持った機種のＩＰルーターである。携帯端末１，パーソナルコンピュータ２１，ミュージックサーバー２２，ホームサーバー２３には、それぞれＩＰルーター２７によってＩＰアドレスが割り当てられている。
【００４２】
テレビジョン受信機２４及びオーディオシステム２５は、赤外線通信による遠隔制御が可能な機器である。パーソナルコンピュータ２１，ミュージックサーバー２２，ホームサーバー２３，テレビジョン受信機２４，オーディオシステム２５は、互いにＡＶケーブルでつながれている（図では、図示の都合上、パーソナルコンピュータ２１とオーディオシステム２５とをつなぐＡＶケーブルのみを示している）。
【００４３】
携帯端末１のブートメモリ１２（図２）には、インターネット３１上に存在するコンテンツ保管サービスサイト（ユーザーがアップロードしたコンテンツを保管するサービスを行うサイト）３２や複数のダウンロードサイト（コンテンツを無料または有料でダウンロードすることのできるサイト）３３のＵＲＬのデータも記憶されている。コンテンツ保管サービスサイト３２では、ユーザーを管理するためのユーザー管理サーバー３４や、ユーザーからアップロードされたコンテンツを蓄積するオンラインストレージ３５が、ゲートウェイ３６を介してインターネット３１に接続されている。
【００４４】
インターネット３１上には、ダウンロードサイト３３と提携して、クレジットカード機能や電子マネー機能を有する非接触ＩＣカードによる課金決済サービスを行う課金決済サービスプロバイダ３７も存在している。
【００４５】
次に、このシステムでコンテンツの再生・出力表示やダウンロードを行う際の、携帯端末１の表示画面や携帯端末１による処理について説明する。
【００４６】
〔コンテンツの再生・出力表示〕
まず、コンテンツを再生・出力表示する場合について説明する。携帯端末１の釦３（図１）の操作によってコンテンツモードが選択されると、携帯端末１のＣＰＵ１１（図２）は、携帯端末１の表示部２（図１）に、図５に示すようなコンテンツモードメニューを表示させる。このコンテンツモードメニューは、ユーザーが視聴したいコンテンツのカテゴリーを選択するためのメニューであり、音楽を表す‘Ｍｕｓｉｃ’や映像を表す‘Ｍｏｖｉｅ’等のカテゴリーが表示される。
【００４７】
図５のコンテンツモードメニューで１つのカテゴリーが選択される（１つのカテゴリーの表示箇所がタッチされる）と、携帯端末１のＣＰＵ１１は、図４にも▲１▼として示すように、イーサネット（登録商標）２９経由でパーソナルコンピュータ２１，ミュージックサーバー２２，ホームサーバー２３にアクセスするとともに、インターネット３１経由でコンテンツ保管サービスサイト３２にアクセスして、パーソナルコンピュータ２１，ミュージックサーバー２２，ホームサーバー２３，オンラインストレージ３５に蓄積されているコンテンツのうち、選択されたカテゴリーのコンテンツのリストデータ（タイトルやアーティスト名や時間や蓄積場所等のメタデータ）の送信を要求する。
【００４８】
パーソナルコンピュータ２１，ミュージックサーバー２２，ホームサーバー２３，コンテンツ保管サービスサイト３２からは、図４にも▲２▼として示すように、この要求に応じて、コンテンツのリストデータが携帯端末１に送信される。
【００４９】
携帯端末１のＣＰＵ１１は、この送信されたリストデータを用いて、選択されたカテゴリーのコンテンツのリストを生成し、そのリストを表示部２に表示する。図６は、図５のコンテンツモードメニューで音楽が選択された（‘Ｍｕｓｉｃ’の箇所がタッチされた）際に表示されるリストを例示した図である。‘Ｌｏｃａｔｉｏｎ’はコンテンツの蓄積場所（コンテンツを蓄積しているＡＶ機器）であり、‘ＰＣ’はパーソナルコンピュータ２１（図３）を表し、‘Ｓｅｒｖｅｒ’はミュージックサーバー２２（図３）を表し、‘Ｏｎｉｎｅ’はオンラインストレージ３５（図３）を表し、‘ＣＤ’はオーディオシステム２５（図３）を表す。
【００５０】
このコンテンツリストから１つのコンテンツが選択される（１つのコンテンツの表示箇所がタッチされる）と、携帯端末１のＣＰＵ１１は、図７に示すように、コンテンツを再生・出力表示するための操作ＵＩ（ユーザーインターフェース）４０と、選択されたコンテンツのタイトルやアーティスト名や時間や蓄積場所の表示欄（ここでは図６のリストからパーソナルコンピュータ２１に蓄積されている音楽コンテンツが選択された例を示している）と、そのコンテンツの現在の再生時間の表示欄と、‘Ｓｅｔｕｐ’釦５０とを含む機器コントロールパネルを表示部２に表示する。
【００５１】
操作ＵＩ４０は、ＡＶ機器によらず統一されており、上段に再生釦４１，一時停止釦４２，停止釦４３が表示されると共に、下段に巻戻しや早送りのための釦４４〜４７，ボリューム調整釦４８及び４９が表示される。
【００５２】
‘Ｓｅｔｕｐ’釦５０が操作されない場合には、操作ＵＩ４０の全ての釦４１〜４９は、選択されたコンテンツを蓄積しているＡＶ機器を制御してコンテンツを出力表示させるための釦になる。すなわち、この場合には、携帯端末１のＣＰＵ１１は、操作ＵＩ４０の各釦４１〜４９の操作に応じて、選択されたコンテンツを蓄積しているＡＶ機器を制御して、そのコンテンツの再生・出力表示や、再生の停止や、ボリューム調整等を行わせる。
【００５３】
具体的には、例えば図７の例のように、選択された音楽コンテンツの蓄積場所がパーソナルコンピュータ２１である場合には、図９Ａにも示すように、操作ＵＩ４０の全ての釦４１〜４９は、パーソナルコンピュータ２１を制御してコンテンツを出力表示させるための釦になる。すなわち、この場合には、携帯端末１のＣＰＵ１１は、操作ＵＩ４０の各釦４１〜４９の操作に応じて、図４にも▲３▼として示すように、イーサネット（登録商標）２９経由でパーソナルコンピュータ２１を制御し、パーソナルコンピュータ２１にインストールされているマルチメディアソフト（例えばＷｉｎｄｏｗｓ    Ｍｅｄｉａ  Ｐｌａｙｅｒ（「Ｗｉｎｄｏｗｓ」は登録商標））により、その音楽コンテンツの再生・出力表示や、再生の停止や、ボリューム調整等を行わせる。
【００５４】
他方、‘Ｓｅｔｕｐ’釦５０が操作されると、携帯端末１のＣＰＵ１１は、選択されたコンテンツを出力表示させるＡＶ機器として、そのコンテンツを蓄積しているＡＶ機器と、そのコンテンツを入力して出力表示することが可能な別のＡＶ機器とのうちのいずれかを選択するためのアイコンを含む出力機器選択画面を表示部２に表示する。
【００５５】
図８は、図７の例のように、選択された音楽コンテンツの蓄積場所がパーソナルコンピュータ２１である場合の、出力機器選択画面の例を示す。選択された音楽コンテンツを蓄積しているＡＶ機器であるパーソナルコンピュータ２１を‘ＰＣ＆Ｓｐｅａｋｅｒ’として表すアイコン５１と、音楽コンテンツを出力表示可能な別のＡＶ機器であるオーディオシステム２５（図３）のステレオアンプを‘Ａｍｐｌｉｆｉｅｒ’として表すアイコン５２とが表示される。
【００５６】
この出力機器選択画面で、選択されたコンテンツを蓄積しているＡＶ機器とは別のＡＶ機器が選択される（この別のＡＶ機器を表すアイコンがタッチされる）と、携帯端末１のＣＰＵ１１は、再び図７の機器コントロールパネルを表示部２に表示する。
【００５７】
このように、選択されたコンテンツを蓄積しているＡＶ機器とは別のＡＶ機器が出力機器選択画面で選択された場合には、操作ＵＩ４０のボリューム釦４８，４９以外の各釦４１〜４７は、選択されたコンテンツを蓄積しているＡＶ機器を制御するための釦になるが、ボリューム釦４８，４９は、出力機器選択画面で選択された別のＡＶ機器を制御するための釦になる。すなわち、この場合には、携帯端末１のＣＰＵ１１は、操作ＵＩ４０のボリューム釦４８，４９以外の各釦４１〜４７の操作に応じて、選択されたコンテンツを蓄積しているＡＶ機器を制御して、そのコンテンツの再生と、出力機器選択画面で選択されたＡＶ機器へのＡＶケーブル経由でのそのコンテンツの転送とを行わせる。また、携帯端末１のＣＰＵ１１は、出力機器選択画面で選択された別のＡＶ機器を制御して、転送されたそのコンテンツを、操作ＵＩ４０のボリューム釦４８，４９の操作に応じたボリュームで出力表示させる。
【００５８】
具体的には、例えば図８の出力機器選択画面でオーディオシステム２５のステレオアンプが選択された（アイコン５２がタッチされた）場合には、図９Ｂにも示すように、操作ＵＩ４０のボリューム釦４８，４９以外の各釦４１〜４７全ての釦４１〜４９は、パーソナルコンピュータ２１を制御するための釦になるが、ボリューム釦４８，４９は、オーディオシステム２５のステレオアンプを制御するための釦になる。すなわち、この場合には、携帯端末１のＣＰＵ１１は、操作ＵＩ４０のボリューム釦４８，４９以外の各釦４１〜４７の操作に応じて、図４にも▲４▼として示すように、イーサネット（登録商標）２９経由でパーソナルコンピュータ２１を制御して、選択されたコンテンツを再生させてＡＶケーブル３０経由でオーディオシステム２５に転送させ、また、図４にも▲５▼として示すように、赤外線通信によってオーディオシステム２５のステレオアンプを制御して、パーソナルコンピュータ２１から転送されたそのコンテンツを、操作ＵＩ４０のボリューム釦４８，４９の操作に応じたボリュームで出力表示させる。
【００５９】
ここでは、パーソナルコンピュータ２１に蓄積されている音楽コンテンツがコンテンツリストから選択された場合を例にとったが、例えばオーディオシステム２５に蓄積されている音楽コンテンツがコンテンツリストから選択されるとともに出力機器選択画面（図８）でもオーディオシステム２５が選択された場合には、携帯端末１のＣＰＵ１１は、操作ＵＩ４０の各釦４１〜４９の操作に応じて、赤外線通信によってオーディオシステム２５を制御して、選択された音楽コンテンツの再生・出力表示や、再生の停止や、ボリューム調整等を行わせる。
【００６０】
また、例えばコンテンツ保管サービスサイト３２のオンラインストレージ３５にアップロードした音楽コンテンツがコンテンツリストから選択されるとともに出力機器選択画面（図８）でパーソナルコンピュータ２１が選択された場合には、携帯端末１のＣＰＵ１１は、後述の〔コンテンツのダウンロード〕において説明するように、パーソナルコンピュータ２１との間で機器認証，機器情報の受け取りを行い、その機器情報をコンテンツ保管サービスサイト３２（図３）のユーザー管理サーバー３４にインテーネット３１経由で送信するとともに、操作ＵＩ４０の各釦４１〜４９の操作に応じて、イーサネット（登録商標）２９経由でパーソナルコンピュータ２１を制御し、マルチメディアソフトによって、コンテンツ保管サービスサイト３２からダウンロードされる再生・出力表示や、再生の停止や、ボリューム調整等を行わせる。
【００６１】
また、ここではコンテンツモードメニュー（図５）で音楽が選択された場合を例にとって説明したが、例えばコンテンツモードメニューで映像が選択されるとともに映像コンテンツのリストの中から１つのコンテンツが選択された場合にも、やはり、図７に示したように、選択されたコンテンツのタイトルやアーティスト名や時間や蓄積場所が表示部２の上側部分に表示され、現在の再生時間及び‘Ｓｅｔｕｐ’釦５０が表示部２の中央部分に表示され、操作ＵＩ４０が表示部２の下側部分に表示される。
【００６２】
そして、‘Ｓｅｔｕｐ’釦５０が操作されない場合には、やはり、操作ＵＩ４０の全ての釦４１〜４９は、選択された映像コンテンツを蓄積しているＡＶ機器を制御するための釦になる。他方、‘Ｓｅｔｕｐ’釦５０が操作され、出力機器選択画面で、選択された映像コンテンツを蓄積しているＡＶ機器とは別のＡＶ機器が選択された場合には、やはり、操作ＵＩ４０のボリューム釦４８，４９以外の各釦４１〜４７は、選択された映像コンテンツを蓄積しているＡＶ機器を制御するための釦になるが、ボリューム釦４８，４９は、出力機器選択画面で選択された別のＡＶ機器を制御するための釦になる。
【００６３】
具体的には、例えば、選択された映像コンテンツがホームサーバー２３（図３）に蓄積されており、出力機器選択画面でパーソナルコンピュータ２１が選択された場合には、図９Ｃにも示すように、操作ＵＩ４０のボリューム釦４８，４９以外の各釦４１〜４７は、ホームサーバー２３を制御するための釦になるが、ボリューム釦４８，４９は、パーソナルコンピュータ２１を制御するための釦になる。
【００６４】
このように、この携帯端末１によれば、ユーザーが、まず利用したいコンテンツを選択すると、そのコンテンツの属性に基づいたユーザーインターフェースである操作ＵＩ４０が表示され、そして、ユーザーが、操作ＵＩ４０によってコンテンツの利用（ここでは出力表示）に関する入力を行うだけで、コンテンツを蓄積したＡＶ機器からコンテンツを利用（出力表示）するＡＶ機器にコンテンツが転送されて、その利用機器でコンテンツが利用（出力表示）される。
【００６５】
これにより、コンテンツを蓄積しているＡＶ機器とそのコンテンツを利用（出力表示）するＡＶ機器とが相違する場合に、ユーザーが、それらのＡＶ機器の違いを意識することなく、一つのユーザーインターフェースによってコンテンツを利用（出力表示）することができるようになっている。
【００６６】
換言すれば、ユーザーは、「コンテンツの選択→コンテンツを利用する機器→コンテンツを蓄積している機器」というオブジェクト指向のユーザーインターフェースでコンテンツを利用することができることになる。
【００６７】
また、操作ＵＩ４０は、ＡＶ機器によらず、コンテンツの種類のみに依存する統一されたユーザーインターフェースである。
【００６８】
したがって、ユーザーは、コンテンツを蓄積しているＡＶ機器やコンテンツを出力表示するＡＶ機器の種類毎に異なる操作方法を覚えることなく、コンテンツを出力表示させることができるようになっている。
【００６９】
また、ユーザーは、出力表示させたいコンテンツを選択した後、そのコンテンツを出力表示させるＡＶ機器も出力機器選択画面で選択できるようになっている。
【００７０】
また、ユーザーは、この携帯端末１を使用するだけで、例えばイーサネット（登録商標）２９経由でのみ制御可能なＡＶ機器（パーソナルコンピュータ２１やミュージックサーバー２２やホームサーバー２３）に蓄積されているコンテンツを、赤外線通信でのみ制御可能なＡＶ機器（テレビジョン受像機２４やオーディオシステム２５）で出力表示させることができるようになっている。
【００７１】
〔コンテンツのダウンロード〕
次に、図３のシステムでコンテンツをダウンロードする場合について説明する。図５のコンテンツモードメニューで１つのカテゴリーが選択されると、そのカテゴリーのコンテンツリストが表示部２に表示されるが、図６にも示すように、コンテンツリストの下側には‘Ｗｅｂｓｉｔｅ’釦５３も表示される。
【００７２】
このＷｅｂｓｉｔｅ’釦５３が操作されると、携帯端末１のＣＰＵ１１は、図１１に例示するように、ダウンロードサイト３３（図３）のうち、図５のコンテンツモードメニューで選択されたカテゴリーのコンテンツをダウンロード可能なサイトのリストを表示部２に表示する。
【００７３】
このダウンロードサイトリストから１つのダウンロードサイトが選択される（１つのダウンロードサイトの表示箇所がタッチされる）と、携帯端末１のＣＰＵ１１は、図１０にも▲１▼として示すように、ダウンロードサイト３３のうちその選択されたダウンロードサイトにアクセスして、ダウンロード可能なコンテンツのリストデータ（タイトルやアーティスト名や時間や価格等のメタデータ）の送信を要求する。
【００７４】
アクセスされたダウンロードサイトからは、図１０にも▲２▼として示すように、この要求に応じて、コンテンツのリストデータが携帯端末１に送信される。
【００７５】
携帯端末１のＣＰＵ１１は、この送信されたリストデータを用いて、選択されたカテゴリーのコンテンツのリストを生成し、図１２に例示するように、そのリストを表示部２に表示する。
【００７６】
このコンテンツリストから１つのコンテンツが選択される（１つのコンテンツの表示箇所がタッチされる）と、携帯端末１のＣＰＵ１１は、図１３に示すようなコンテンツ確認画面（選択されたコンテンツのタイトルやアーティスト名や時間や価格の表示欄と、‘Ｃａｎｃｅｌ’釦６１，‘ＯＫ’釦６２を含む画面）を表示部２に表示する。
【００７７】
このコンテンツ確認画面で‘ＯＫ’釦６２が操作されると、携帯端末１のＣＰＵ１１は、図１４に示すような支払方法選択画面（選択されたコンテンツのタイトルやアーティスト名や時間や価格の表示欄と、非接触ＩＣカードのクレジットカード機能による支払いを選択するための釦７１と、非接触ＩＣカードの電子マネー機能による支払いを選択するための釦７２とを含む画面）を表示部２に表示する。
【００７８】
この支払方法選択画面の釦７１または７２で支払方法が選択されると、携帯端末１のＣＰＵ１１は、図１５に示すように、非接触ＩＣカードを挿入させるメッセージと、‘Ｃａｎｃｅｌ’釦８１，‘ＯＫ’釦８２とを含むメッセージ画面を表示部２に表示する。
【００７９】
携帯端末１の裏面の挿入口に非接触ＩＣカードが挿入されるとともにこのメッセージ画面で‘ＯＫ’釦８２が操作されると、携帯端末１のＣＰＵ１１は、図１６に示すような注文内容確認画面（選択されたコンテンツのタイトルやアーティスト名や時間や価格の表示欄と、支払金額（電子マネー機能を選択した場合には現在の残額も）と、‘Ｃａｎｃｅｌ’釦９１，‘ＯＫ’釦９２を含む画面）を表示部２に表示する。
【００８０】
この注文内容確認画面で‘ＯＫ’釦９２が操作されると、携帯端末１のＣＰＵ１１は、図１０にも▲３▼として示すように、課金決済サービスプロバイダ３７にアクセスして、非接触ＩＣカードのデータ（ユーザーの住所・氏名やクレジットカード番号等の個人情報）や、支払方法選択画面（図１４）で選択された支払方法を示すデータを送信する。課金決済サービスプロバイダ３７では、これらのデータに基づき、カードの承認や課金決済を行う。
【００８１】
課金決済が終わると、携帯端末１のＣＰＵ１１は、図１７に示すように、注文の完了を伝えるメッセージと、注文を受けたコンテンツのタイトルやアーティスト名や時間や価格の表示欄と、電子マネー機能を選択した場合の新たな残額と、‘ＯＫ’釦１０１とを含むメッセージ画面を表示部２に表示する。
【００８２】
このメッセージ画面で‘ＯＫ’釦１０１が操作されると、携帯端末１のＣＰＵ１１は、図１８に例示するように、ダウンロードしたコンテンツを蓄積するＡＶ機器として、そのコンテンツをダウンロードするＡＶ機器自体を選択するためのアイコン１０２と、別のＡＶ機器を選択するためのアイコン１０３とを含む蓄積機器選択画面を表示部２に表示する。図１８の例では、音楽コンテンツを蓄積する別のＡＶ機器として、オーディオシステム２５を選択するためのアイコン１０３が表示されている。
【００８３】
この蓄積機器選択画面で、ダウンロードしたコンテンツを蓄積するＡＶ機器が選択される（いずれかのアイコンの表示箇所がタッチされる）と、携帯端末１のＣＰＵ１１は、図１９に例示するような、コンテンツをダウンロードするＡＶ機器を選択するためのアイコンを含むダウンロード機器選択画面を表示部２に表示する。図１９の例では、音楽コンテンツをダウンロードするＡＶ機器として、パーソナルコンピュータ２１を選択するためのアイコン１０４と、ミュージックサーバー２２を選択するためのアイコン１０５とが表示されている。
【００８４】
このダウンロード機器選択画面で、ダウンロードするＡＶ機器が選択される（いずれかのアイコンの表示箇所がタッチされる）と、携帯端末１のＣＰＵ１１は、イーサネット（登録商標）２９経由で、ダウンロード機器として選択されたＡＶ機器にアクセスして、そのＡＶ機器の機器認証（間違いなく自己のシステム内のＡＶ機器であることの認証）を行うとともに、そのＡＶ機器の機器情報（ＩＰアドレス等）を取得する。
【００８５】
また、蓄積機器選択画面（図１８）で、コンテンツをダウンロードするＡＶ機器自体が選択されている場合には、携帯端末１のＣＰＵ１１は、ダウンロード機器として選択されたＡＶ機器に対し、ダウンロードしたコンテンツを自己に蓄積させる指示を行う。
【００８６】
他方、蓄積機器選択画面で、コンテンツをダウンロードするＡＶ機器とは別のＡＶ機器が選択されている場合には、携帯端末１のＣＰＵ１１は、ダウンロード機器として選択されたＡＶ機器に対し、ダウンロードしたコンテンツをＡＶケーブル経由でその別のＡＶ機器に出力可能な状態になったときに、そのことを携帯端末１に通知させるとともにダウンロードしたコンテンツをＡＶケーブル経由でその別のＡＶ機器に出力させる指示を行う。
【００８７】
具体的には、例えば図１９のダウンロード機器選択画面でパーソナルコンピュータ２１が選択された場合には、携帯端末１のＣＰＵ１１は、図１０にも▲４▼として示すように、イーサネット（登録商標）２９経由でパーソナルコンピュータ２１にアクセスして、この機器認証，機器情報の受け取り，指示を行う。
【００８８】
そして、携帯端末１のＣＰＵ１１は、図１０にも▲５▼として示すように、インターネット３１経由で、ダウンロードサイト３３のうちダウンロードサイトリスト（図１１）から選択されたダウンロードサイトにアクセスして、コンテンツリスト（図１２）から選択されたコンテンツを示す情報を送信するとともに、ダウンロード先のＡＶ機器を指定する情報として、ダウンロード機器選択画面（図１９）で選択されたＡＶ機器から取得した機器情報を送信する。
【００８９】
また、蓄積機器選択画面（図１８）で、コンテンツをダウンロードするＡＶ機器とは別のＡＶ機器が選択されている場合には、携帯端末１のＣＰＵ１１は、その別のＡＶ機器に対し、コンテンツをダウンロードするＡＶ機器からＡＶケーブル経由で入力されるコンテンツを記録するためのスタンバイの指示を行う。
【００９０】
具体的には、例えば図１８の蓄積機器選択画面でオーディオシステム２５が選択されている場合には、図１０にも▲６▼として示すように、携帯端末１のＣＰＵ１１は、赤外線通信により、オーディオシステム２５に対してこの指示を行う。
【００９１】
ダウンロードサイト３３のうちダウンロードサイトリスト（図１１）から選択されたダウンロードサイトからは、携帯端末１から送信された情報に基づき、コンテンツリスト（図１２）から選択されたコンテンツが、インターネット３１及びイーサネット（登録商標）２９経由で、ダウンロード機器として選択されたＡＶ機器にダウンロードされる。
【００９２】
具体的には、例えば図１９のダウンロード機器選択画面でパーソナルコンピュータ２１が選択された場合には、図１０にも▲７▼として示すように、インターネット３１及びイーサネット（登録商標）２９経由で、パーソナルコンピュータ２１にコンテンツがダウンロードされる。
【００９３】
蓄積機器選択画面（図１８）で、コンテンツをダウンロードするＡＶ機器自体が選択されている場合には、前述の携帯端末１からの指示に基づき、ダウンロード機器として選択されたＡＶ機器に、ダウンロードしたコンテンツがそのまま記録される。
【００９４】
他方、蓄積機器選択画面（図１８）で、コンテンツをダウンロードするＡＶ機器とは別のＡＶ機器が選択されている場合には、前述の携帯端末１からの指示に基づき、ダウンロード機器として選択されたＡＶ機器から、ダウンロードしたコンテンツをＡＶケーブル経由でその別のＡＶ機器に出力可能な状態になったときに、そのことがイーサネット（登録商標）２９経由で携帯端末１に通知されるとともに、ダウンロードしたコンテンツがＡＶケーブル経由でその別のＡＶ機器に出力される。
【００９５】
携帯端末１のＣＰＵ１１は、この通知を受け取ると、その別のＡＶ機器に対し、赤外線通信により、コンテンツをダウンロードするＡＶ機器からＡＶケーブル経由で入力されるコンテンツを記録させる指示を行う。これにより、ダウンロードしたコンテンツが、その別のＡＶ機器に蓄積される。
【００９６】
具体的には、例えば図１８の蓄積機器選択画面でオーディオシステム２５が選択されるとともに図１９のダウンロード機器選択画面でパーソナルコンピュータ２１が選択された場合には、図１０にも▲８▼として示すように、パーソナルコンピュータ２１から携帯端末１にこの通知が行われ、ダウンロードしたコンテンツがパーソナルコンピュータ２１からオーディオシステム２５が出力される。また、図１０にも▲９▼として示すように、携帯端末１はオーディオシステム２５に対して記録指示を行う。これにより、パーソナルコンピュータ２１にダウンロードしたコンテンツが、オーディオシステム２５に蓄積される。
【００９７】
携帯端末１のＣＰＵ１１は、ダウンロード機器として選択されたＡＶ機器とのイーサネット（登録商標）２９経由での通信に基づき、ダウンロードの進捗状況を監視する。そして、ダウンロードが完了すると、図２０に示すように、ダウンロードしたコンテンツのタイトルやアーティスト名や時間や蓄積場所（図１８の蓄積機器選択画面で選択されたＡＶ機器）の表示欄と、ダウンロードが完了したことを伝えるメッセージと、ダウンロードしたコンテンツを再生させるためのアイコン１０６と、ダウンロードを続けるためのアイコン１０７とを含むメッセージ画面を表示部２に表示する。
【００９８】
このメッセージ画面で、ダウンロードしたコンテンツを再生させることが選択される（アイコン１０６の表示箇所がタッチされる）と、携帯端末１のＣＰＵ１１は、図７の再生機器コントロールパネルを表示部２に再び表示する。そして、携帯端末１のＣＰＵ１１は、操作ＵＩ４０の操作に応じて、ダウンロードしたコンテンツを蓄積したＡＶ機器を制御してそのコンテンツを再生させる。
【００９９】
また、携帯端末１のＣＰＵ１１は、ダウンロードしたコンテンツのリストデータをブートメモリ１２（図２）に記憶する。そして、それ以降コンテンツリスト（図６）を表示部２に表示する際には、携帯端末１のＣＰＵ１１は、その記憶したリストデータを含むコンテンツリストを表示する。
【０１００】
ここでは有料のコンテンツをダウンロードする場合について説明したが、無料のコンテンツをダウンロードする場合には、図１３のコンテンツ確認画面には金額が表示されないとともに、コンテンツ確認画面で‘ＯＫ’釦６２が操作されたことに基づいて直ちに図１８の蓄積機器選択画面が表示される（図１４〜図１７の課金決済用の画面は表示されない）。
【０１０１】
このように、ユーザーは、この携帯端末１を使用することにより、コンテンツをダウンロードさせようとする個々のＡＶ機器毎にそのＡＶ機器の操作方法に従った操作を行うことなく、まず取得したいコンテンツを選択した後、その選択したコンテンツをダウンロードさせるＡＶ機器を選択するという同一の操作手順で（換言すれば、まずどのコンテンツをダウンロードしたいかを選択するというオブジェクト指向の操作で）、ネットワークに接続可能な様々なＡＶ機器にネットワーク経由でコンテンツをダウンロードさせることができる。
【０１０２】
これにより、ネットワークに接続可能な様々なＡＶ機器（パーソナルコンピュータ２１やミュージックサーバー２２やホームサーバー２３）に、簡単な操作によってネットワーク経由でコンテンツを取得させることができるようになっている。
【０１０３】
また、この携帯端末１によれば、携帯端末１そのものがネットワーク上のサイトにアクセスすることにより、ネットワークに接続されたＡＶ機器にこのサイトからコンテンツがダウンロードされる。これにより、コンテンツをダウンロードさせるＡＶ機器からではなく、この携帯端末１からこのサイトに個人情報（例えば前述のように有料コンテンツをダウンロードする際の課金決済にかかわる個人情報）を送信することができる。
【０１０４】
したがって、ユーザーは、ネットワークに接続可能な様々なＡＶ機器にコンテンツを取得させる際にも、それらの様々なＡＶ機器からそれぞれネットワーク経由で個人情報を送信する必要がなくなり、この１台の携帯端末１だけからネットワーク経由で個人情報を送信すれば足りる。
【０１０５】
これにより、ネットワーク経由で送信する個人情報をこの１台の携帯端末１だけで集中管理することができるので、個人情報の漏洩の危険性が低減する。
【０１０６】
また、ユーザーは、簡単な操作によって、ネットワーク上のサイトからダウンロードされるコンテンツを、オーディオアンプ２５のような、ネットワークには接続できないが赤外線通信で遠隔制御可能なＡＶ機器に蓄積させることもできるようになっている。
【０１０７】
また、ユーザーは、この携帯端末１に表示されるコンテンツリスト（図６）から、ダウンロードしたコンテンツがどのＡＶ機器に蓄積されているかを容易に把握することができるようになっている。
【０１０８】
また、有料コンテンツをダウンロードする際の課金決済にかかわる個人情報等の入力操作をユーザーが行わなくても、ＩＣカードを用いて課金決済を行うことができるようになっている。
【０１０９】
なお、以上の例では、携帯端末１にコンテンツ保管サービスサイト３２やダウンロードサイト３３のＵＲＬを記憶することにより、携帯端末１がこれらのサイトにアクセスするようになっている。しかし、別の例として、携帯端末１に対してサービスを行う専用のサイトを設け、携帯端末１がそのサイトを経由してコンテンツ保管サービスサイトやダウンロードサイトにアクセスするようにしてもよい。
【０１１０】
また、以上の例ではコンテンツをダウンロードするために本発明を適用しているが、ストリーミングによってコンテンツを取得するために本発明を適用してもよい。
【０１１１】
また、以上の例では、非接触ＩＣカードを、有料のコンテンツをダウンロードする際の課金決済手段としてのみ利用している。しかし、別の例として、非接触ＩＣカードを、会員制のコンテンツ保管サービスサイトやダウンロードサイトでサービスを受ける際のログインツールとして利用してもよい。
【０１１２】
図２１Ａ，Ｂは、それぞれログインツールとしての非接触ＩＣカードの利用例を示す。このうち、図２１Ａの例では、ユーザーが会員制サイト（コンテンツ保管サービスサイトやダウンロードサイト）１１２に会員登録した際のユーザーＩＤが携帯端末１に記憶されている。そして、ユーザーが携帯端末１に非接触ＩＣカード１１１を挿入すると、携帯端末１が非接触ＩＣカード１１１のユーザーＩＤを読み取ってユーザーを認証する。そして、会員制サイト１１２からのユーザーＩＤの要求に応じて、携帯端末１が、認証したユーザーについて記憶しているユーザーＩＤを会員制サイト１１２に送信することにより、会員制サイト１１２でそのユーザーＩＤが確認されて、ログインできるようになっている。
【０１１３】
他方、図２１Ｂの例では、非接触ＩＣカード１１１のユーザーＩＤそのものが会員制サイト１１２に会員登録する際のユーザーＩＤとして用いられており、ユーザーが携帯端末１に非接触ＩＣカード１１１を挿入すると、会員制サイト１１２からのユーザーＩＤの要求に応じて、携帯端末１が、この非接触ＩＣカード１１１から読み取ったユーザーＩＤを会員制サイト１１２に送信することにより、会員制サイト１１２でユーザーＩＤが確認されて、ログインできるようになっている。
【０１１４】
また、さらに別の例として、複数のユーザー（家族）が１台の携帯端末１を共用する際に、非接触ＩＣカードを、ユーザー毎に、制御可能なＡＶ機器やアクセス可能なサイトを制限するツールとして利用してもよい。
【０１１５】
図２２は、こうした制限用ツールとしての非接触ＩＣカードの利用例を示す。複数のユーザーの非接触ＩＣカードのユーザーＩＤが、それぞれ制御を許可するＡＶ機器やアクセスを許可するサイトのＵＲＬの情報（許可情報）と対応させて携帯端末１に記憶されている。そして、或るユーザーが携帯端末１に自分の非接触ＩＣカード１１１を挿入すると、携帯端末１が非接触ＩＣカード１１１のユーザーＩＤを読み取ってユーザーを認証する。そして、携帯端末１が、認証したユーザーについて記憶している許可情報に基づき、そのユーザーに許可されているＡＶ機器１１３に蓄積されているコンテンツや、そのユーザーに許可されているサイト１１４のみを、コンテンツリスト（図６）やダウンロードサイトリスト（図７）に表示する。
【０１１６】
このように、制御可能なＡＶ機器をユーザー毎に制限することにより、家庭内の或るユーザー専用のＡＶ機器が他のユーザーによって無断で使用される（そのＡＶ機器に蓄積されているコンテンツが他のユーザーによって無断で再生されたり、そのＡＶ機器に他のユーザーによって無断でコンテンツがダウンロードされる）ことが防止される。
【０１１７】
また、このように、アクセス可能なサイトをユーザー毎に制限することにより、例えば、ユーザー毎の嗜好に合わせたサイトにアクセスすることや、未成年者が成人向けのサイトにアクセスしないようにすることができる。
【０１１８】
【発明の効果】
以上のように、本発明によれば、コンテンツを蓄積している機器とそのコンテンツを利用する機器とが相違する場合に、ユーザーが、それらの機器の違いを意識することなく、一つのユーザーインターフェースによってコンテンツを利用することができるという効果が得られる。
【０１１９】
換言すれば、ユーザーは、「コンテンツの選択→コンテンツを利用する機器→コンテンツを蓄積している機器」というオブジェクト指向のユーザーインターフェースでコンテンツを利用することができるという効果が得られる。
【０１２０】
また、ユーザーが、コンテンツを蓄積している機器やコンテンツを利用する機器の種類毎に異なる操作方法を覚えることなく、コンテンツの種類のみに依存する統一されたユーザーインターフェースによってコンテンツを利用できるという効果も得られる。
【０１２１】
また、或る機器に蓄積されたコンテンツを、その機器から再生させて別の機器に転送し、その別の機器でそのコンテンツを出力表示させて視聴する場合に、ユーザーが、それらの機器の違いを意識することなく、一つのユーザーインターフェースによってそのコンテンツを視聴することができるという効果も得られる。
【０１２２】
また、ユーザーは、利用したいコンテンツを選択した後、そのコンテンツを利用する機器も選択できるという効果も得られる。
【０１２３】
また、ユーザーは、このコンテンツマネージメント装置を使用するだけで、例えば無線通信手段でのみ制御可能な機器に蓄積されているコンテンツを、赤外線通信手段でのみ制御可能な機器で利用することができるという効果も得られる。
【０１２４】
また、ユーザーは、このコンテンツマネージメント装置を使用して、コンテンツを蓄積する機器に、ネットワーク上のコンテンツ提供装置から提供されるコンテンツを受信して蓄積させることができるとともに、そのコンテンツが有料である場合に、個人情報等の入力操作を行わなくても、ＩＣカードを用いて課金決済を行うことができるという効果も得られる。
【図面の簡単な説明】
【図１】本発明を適用した携帯端末の外観構成例を示す正面図である。
【図２】図１の携帯端末の回路構成を示すブロック図である。
【図３】図１の携帯端末を利用したコンテンツ再生・ダウンロードシステムの全体構成例を示す図である。
【図４】コンテンツ再生時の図３のシステムでの通信の様子を示す図である。
【図５】コンテンツ再生時の図１の携帯端末の表示画面を示す図である。
【図６】コンテンツ再生時の図１の携帯端末の表示画面を示す図である。
【図７】コンテンツ再生時の図１の携帯端末の表示画面を示す図である。
【図８】コンテンツ再生時の図１の携帯端末の表示画面を示す図である。
【図９】図７の操作ＵＩの役割の具体例を示す図である。
【図１０】コンテンツダウンロード時の図３のシステムでの通信の様子を示す図である。
【図１１】コンテンツダウンロード時の図１の携帯端末の表示画面を示す図である。
【図１２】コンテンツダウンロード時の図１の携帯端末の表示画面を示す図である。
【図１３】コンテンツダウンロード時の図１の携帯端末の表示画面を示す図である。
【図１４】コンテンツダウンロード時の図１の携帯端末の表示画面を示す図である。
【図１５】コンテンツダウンロード時の図３のシステムでの情報の流れを示す図である。
【図１６】コンテンツダウンロード時の図１の携帯端末の表示画面を示す図である。
【図１７】コンテンツダウンロード時の図１の携帯端末の表示画面を示す図である。
【図１８】コンテンツダウンロード時の図１の携帯端末の表示画面を示す図である。
【図１９】コンテンツダウンロード時の図１の携帯端末の表示画面を示す図である。
【図２０】コンテンツダウンロード時の図１の携帯端末の表示画面を示す図である。
【図２１】図１の携帯端末における非接触ＩＣカードの別の利用例を示す図である。
【図２２】図１の携帯端末における非接触ＩＣカードの別の利用例を示す図である。
【符号の説明】
１  コンテンツマネージメント携帯端末、  ２  表示部、  ３  スピーカ、  ４  マイクロホン、  ５  釦、  １１  ＣＰＵ、  １２  ブートメモリ、  １３キャッシュメモリ、  １４  メインボード、  １５タッチセンサ付液晶モジュール、  １６  非接触ＩＣカードリーダー／ライター、  １７  赤外線通信モジュール、  １８    無線ＬＡＮのインターフェース、  ２１  パーソナルコンピュータ、  ２２  ミュージックサーバー、  ２３  ホームサーバー、  ２４  テレビジョン受信機、  ２５  オーディオシステム、  ２６  無線ＬＡＮアクセスポイント、  ２７  ＩＰルーター、  ２８  ＡＤＳＬモデム、  ２９  イーサネット（登録商標）、  ３１  インターネット、  ３２  コンテンツ保管サービスサイト、  ３３  ダウンロードサイト、  ３４  ユーザー管理サーバー、  ３５オンラインストレージ、  ３６  ゲートウェイ、  ３７  課金決済サービスプロバイダ、  ４０  操作ＵＩ、  １１１  非接触ＩＣカード
【図１】
2005031804.tif 000003
【図２】
2005031804.tif 000004
【図３】
2005031804.tif 000005
【図４】
2005031804.tif 000006
【図５】
2005031804.tif 000007
【図６】
2005031804.tif 000008
【図７】
2005031804.tif 000009
【図８】
2005031804.tif 000010
【図９】
2005031804.tif 000011
【図１０】
2005031804.tif 000012
【図１１】
2005031804.tif 000013
【図１２】
2005031804.tif 000014
【図１３】
2005031804.tif 000015
【図１４】
2005031804.tif 000016
【図１５】
2005031804.tif 000017
【図１６】
2005031804.tif 000018
【図１７】
2005031804.tif 000019
【図１８】
2005031804.tif 000020
【図１９】
2005031804.tif 000021
【図２０】
2005031804.tif 000022
【図２１】
2005031804.tif 000023
【図２２】
2005031804.tif 000024